(57)【要約】【課題】携帯移動機の発信動作をユーザ主導で行い、無線基地局の方向（或いは場所）を意識した発信を行うことにより最適な無線基地局を捕捉する。【解決手段】本発明の移動機１００では、無線基地局に対して発信を行う際に、画面１０１上に表示された電話番号のアイコン１０２を選択（タッチ＆ロックオン）し、そのまま画面１０１上で移動することにより所望の方向Ａを指定する。移動機１００では、アイコン１０２の移動により指定された方向Ａと、ＧＰＳにより取得した自己の位置情報とを基に発信方向を判定する。そして、携帯移動機１００では、近隣に位置する各無線基地局からそれぞれの同期信号を受信し、この受信した同期信号を基に、各基地局の緯度経度情報を判定するとともに各無線基地局の電波品質を判定し、ユーザにより指定された発信方向に位置し、かつ最も近くて最も電波品質のよい無線基地局を捕捉する。【選択図】図１
2012244274.tif 000002
【特許請求の範囲】
【請求項１】
無線基地局に対して発信を行う際に、画面上で指定された方向と、自己の存在する位置情報とを基に発信方向を判定し、近隣に位置する各無線基地局から受信したそれぞれの同期信号を基に前記発信方向に位置する無線基地局を選択し、この発信方向に位置する無線基地局の中から所定の基準により発信先となる無線基地局を選択して捕捉する携帯移動機。
【請求項２】
当該携帯移動機の現在位置を検出する位置検出部と、
通信相手先を指定すると共に、発信する無線基地局の方向を指定するための通信相手先指定画像を表示部の画面上に表示する通信相手先指定画像表示部と、
前記画面上に表示された通信相手先指定画像がユーザによりタッチされ移動された場合に、当該通信相手先指定画像が移動された方向をユーザ指定方向として検出するユーザ指定方向検出部と、
前記ユーザ指定方向検出部により検出されたユーザ指定方向と、前記位置検出部により取得した自己の存在する位置情報とを基に前記発信方向を判定する発信方向判定部と、
近隣の各無線基地局のそれぞれから送信される同期信号を受信する基地局スキャン部と、
前記基地局スキャン部により受信した同期信号を基に各基地局の緯度経度情報を判定し前記発信方向に位置する無線基地局を選択すると共に、この発信方向に位置する無線基地局の中から所定の基準に従い発信を行う無線基地局を選択して捕捉する基地局捕捉部と、
を備えることを特徴とする請求項１に記載の携帯移動機。
【請求項３】
データ発信時において前記無線基地局の捕捉に失敗したときに、発信先のターゲットをＷｉＦｉ（Ｗｉｒｅｌｅｓｓ  Ｆｉｄｅｌｉｔｙ）のアクセスポイントに変更して発信動作を行う
ことを特徴とする請求項１または請求項２に記載の携帯移動機。
【請求項４】
無線基地局に対して発信を行う際に、画面上で指定された方向と、自己の存在する位置情報とを基に発信方向を判定し、近隣に位置する各無線基地局から受信したそれぞれの同期信号を基に前記発信方向に位置する無線基地局を選択し、この発信方向に位置する無線基地局の中から所定の基準により発信先となる無線基地局を選択して捕捉する、ことを特徴とする発信時無線基地局捕捉方法。
【発明の詳細な説明】
【技術分野】
【０００１】
本発明は、携帯電話端末等の携帯移動機、および該携帯移動機における発信時の無線基地局捕捉方法に関する。
【背景技術】
【０００２】
携帯移動機（単に「移動機」とも呼ぶ）は、現所在地および無線通信の電波状況を把握した上で、所定アルゴリズムに則って無線基地局（単に「基地局」とも呼ぶ）を捕捉しサービスの提供を受けるが、その捕捉した基地局がほんとにその移動機に対して最善のサービスを提供できるかどうかは必ずしも確かではない。例えば、無線基地局から受信する受信電波が強い場合でも、当該移動機と基地局との距離が離れており、移動機から基地局への送信電波が届かない場合（オーバーリーチ状態にある場合）や、近くに基地局が存在していても遮蔽物等で電波状況が不安定な状況にある等、適切なサービスを提供する基地局が捕捉できず、良質な通信を実現できない場合がある。
【０００３】
例えば、図４は、適切なサービスを提供する無線基地局が捕捉できず良質な通信を実現できない場合の例を示す図である。この図において、移動機１００Ａが基地局（ＢＴＳ１）１１を捕捉しサービスの提供を受けている場合に、移動機１００Ａが位置１から位置２へ移動したとする。この場合、移動機１００Ａと基地局１１との間に電波に対する遮蔽物等が無いために、移動機１００Ａは基地局１１からの受信電波が強いと判定し、そのまま基地局１１を捕捉し続ける状況になる。
【０００４】
しかしながら、実際は、移動機１００Ａからの送信電波が基地局１１に届かない程遠距離になってしまっている可能性がある。移動機１００Ａが位置２に移動した際には、本来は、移動機１００Ａに最も近い場所の基地局（ＢＴＳ３）１３を捕捉すべきであるが、遮蔽物（或いは障害物）２１により電波状況が不安定な状況にある。従って、移動機１００Ａが、位置２において適切なサービスを受けることができる基地局は、基地局（ＢＴＳ２）１２と考えられる。このように、移動機１００Ａと無線基地局（ＢＴＳ１）１１との距離が離れており、移動機１００Ａからの送信電波が届かない場合（オーバーリーチ状態にある場合）や、近くに無線基地局が存在していても遮蔽物等で電波状況が不安定な状況等、適切なサービスを提供する無線基地局が捕捉できない場合がある。このため、携帯移動機にとって最適な無線基地局をアサイン（捕捉）し、良質な音声通話或いはデータ通信を実現することができる、携帯移動機の提供が望まれていた。
【０００５】
なお、関連する通信端末および通信システムがある（特許文献１を参照）。この特許文献１に記載の通信端末は、無線基地局と通信を行う通信端末が移動する場合に、通信する無線基地局を切替えるハンドオーバー処理をスムーズに行うことを目的としている。この特許文献１に記載の通信端末および通信システムにおいて、無線基地局と通信端末とは、指向性アンテナを備え、無線基地局は通信端末の移動方向に向かって電波を発信し、通信端末は移動方向の反対方向から無線基地局の発信した電波を受信する。通信端末は、各無線基地局が発信した電波の電界強度が強い無線基地局を選択し、通信する。そのため、ハンドオーバー処理を行うポイントが、従来の無線基地局の中間地点ではなく、新たに通信を行う無線基地局付近となる。したがって、ハンドオーバー処理を行う場合の無線基地局の発信する電波の電界強度に十分な差ができるため、スムーズにハンドオーバー処理を行うことが可能となる。
【０００６】
また、関連する無線通信ネットワークシステムがある（特許文献２を参照）。この特許文献２に記載の無線通信ネットワークシステムは、所望の無線基地局に高能率でアクセス可能な無線通信ネットワークシステムを提供することを目的としている。この特許文献２に記載の無線通信ネットワークシステムでは、無線ＷＡＮ端末および無線ＬＡＮ端末は、無線通信ネットワークシステムの無線通信状況に応じて、無線ＷＡＮシステムをマルチホップ無線システムに切換えて所望の無線基地局にアクセスし、または無線ＬＡＮシステムおよびマルチホップ無線システムの両方を併用して所望の無線基地局にアクセスする。
【０００７】
また、関連する方向推定システムがある（特許文献３を参照）。この特許文献３に記載の方向推定システムは、高い精度でセルラ無線基地局等の電波の発信源からの移動通信端末の方向を推定することを目的とする。この特許文献３に記載の方向推定システムでは、移動通信端末は、セルラ無線基地局からの方向と当該方向における自端末の電波の受信状態との、電波の指向性に基づく関係を示す情報を記憶部に記憶し、自端末の電波の受信状態を示す情報と、上記記憶部に記憶された上記の関係を示す情報に基づいて方向を推定する。
【先行技術文献】
【特許文献】
【０００８】
【特許文献１】特開２００６−３１９５９３号公報
【特許文献２】特開２００７−１０４６２９号公報
【特許文献３】特開２０１０−０４８７０８号公報
【発明の概要】
【発明が解決しようとする課題】
【０００９】
上述したように、携帯移動機は、現所在地および無線通信の電波状況を把握した上で、所定のアルゴリズムに則って無線基地局を捕捉しサービスの提供を受けるが、その捕捉した無線基地局がほんとにその移動機に対して最善のサービスを提供できるかどうかは確実ではない。例えば、無線基地局から受信する受信電波が強い場合でも、当該移動機と無線基地局との距離が離れており、移動機からの送信電波が届かない場合（オーバーリーチ状態の場合）や、近くに基地局が存在していても遮蔽物等で電波状況が不安定な状況にある等、適切なサービスを提供する無線基地局が捕捉できず、良質な通信を実現できない場合がある。
【００１０】
本発明は、斯かる実情に鑑みなされたものであり、本発明の目的は、携帯移動機において画面操作による発信動作を行う際に、無線基地局の捕捉にユーザ主導の選択処理を加えることにより、移動機にとって最適な無線基地局を捕捉することができる、携帯移動機、および該携帯移動機における発信時無線基地局捕捉方法を提供することにある。
【課題を解決するための手段】
【００１１】
本発明は上記課題を解決するためになされたものであり、本発明の携帯移動機は、無線基地局に対して発信を行う際に、画面上で指定された方向と、自己の存在する位置情報とを基に発信方向を判定し、近隣に位置する各無線基地局から受信したそれぞれの同期信号を基に前記発信方向に位置する無線基地局を選択し、この発信方向に位置する無線基地局の中から所定の基準により発信先となる無線基地局を選択して捕捉する。
【発明の効果】
【００１２】
本発明の携帯移動機では、無線基地局に対して発信を行う際に、画面上で指定した無線基地局の方向と、自己の存在する位置情報（緯度経度情報）とを基に発信を行う無線基地局の方向を指定する。そして、近隣に位置する各無線基地局からそれぞれの同期信号を受信し、この受信した同期信号を基に、上記発信方向に位置する無線基地局を選択し、この発信方向に位置する無線基地局の中から所定の基準により発信先となる無線基地局を選択して捕捉する。
これにより、携帯移動機において画面操作による発信動作を行う際に、無線基地局の捕捉にユーザ主導の選択処理を加えることにより、移動機にとって最適な無線基地局を捕捉することができる。このため、携帯移動機において、良質な音声通話或いはデータ通信を実現することができる。
【図面の簡単な説明】
【００１３】
【図１】本発明の携帯移動機の動作の概要を説明するための図である。
【図２】本発明の実施形態に係わる携帯移動機の機能ブロック図である。
【図３】移動機１００における発信時の処理の流れを示すフローチャートである。
【図４】適切なサービスを提供する基地局が捕捉できず良質な通信を実現できない場合の例を示す図である。
【発明を実施するための形態】
【００１４】
以下、本発明の実施の形態を添付図面を参照して説明する。なお、以下の説明において、「携帯移動機」を、単に「移動機」と呼ぶことがあり、「無線基地局」を、単に「基地局」と呼ぶことがある。
【００１５】
図１は、本発明の携帯移動機の動作の概要を説明するための図である。この図においては、移動機１００が基地局（ＢＴＳ１）１１を捕捉しサービスの提供を受けている状態において、移動機１００が位置１から位置２へ移動したものとする。この場合、本来は、移動機１００は、位置２から最も近い場所の基地局（ＢＴＳ３）１３を捕捉すべきであるが、遮蔽物（或いは障害物）２１により基地局（ＢＴＳ３）１３との間で電波状況が不安定な状況にあり受信電波が弱い。一方、移動機１００と基地局１１との間には電波に対する遮蔽物（或いは障害物）がないために、基地局１１からの受信電波が強く、移動機１００は、そのまま基地局１１を捕捉し続ける状態（オーバーリーチ状態）にあるものとする。
【００１６】
このように、移動機１００が位置２に存在し、基地局１１との間でオーバーリーチの状態にあるタイミングにおいて発信を行なう場合、移動機１００としては現在捕捉している無線基地局（ＢＴＳ１）１１をターゲットに発信処理を行なうが、実際のところ、オーバーリーチ状態になっているため、接続率及び通話品質が低くなってしまうことが考えられる。
【００１７】
このため、本実施形態の携帯移動機１００では、携帯移動機１００から無線基地局に対して発信を行う際に、携帯移動機１００の画面１０１上に表示された通信相手先の電話番号のアイコン１０２（通信相手先指定画像）を画面１０１上で選択（タッチ＆ロックオン）し、この電話番号のアイコン１０２をそのまま移動させることにより方向Ａを指定する。携帯移動機１００では、この電話番号のアイコン１０２により指定された方向Ａと、内蔵するＧＰＳにより取得した自己の存在する地理上の位置情報（緯度経度情報）とを基に、発信方向（より正確には発信を行う無線基地局の方向）を判定し、この発信方向に位置する近隣の無線基地局の中から最適な無線基地局を捕捉する。
【００１８】
より具体的には、移動機１００では、発信を行う際に、例えば、電話番号のリスト（或いはメールアドレスのリスト）を画面１０１に上に表示させる。そして、ユーザが、画面１０１上に表示された電話番号リストから所定番号のアイコン１０２をタッチ＆ロックオンし、そのままユーザが要望している方向Ａに向けて滑らせる（移動させる）。
【００１９】
そして、移動機１００は、近隣の無線基地局からそれぞれの同期チャネルメッセージ（ＳｙｎｃＣｈａｎｎｅｌＭｅｓｓａｇｅ）を受信し、この同期チャネルメッセージを基に、各基地局の緯度経度情報を判定し、ユーザが指定した方向Ａに位置する無線基地局（例えば、無線基地局（ＢＴＳ２）１２及び無線基地局（ＢＴＳ３）１３）を選択する。そして、携帯移動機１００では、ユーザが指定した方向に位置する無線基局の中から、所定の基準に従い最適な無線基地局を選択して捕捉する処理を行う。例えば、基地局捕捉部１２６では、基地局スキャン部１２５により受信した各無線基地局の同期チャネルメッセージを基に、各基地局の電波品質（ＥＣ／Ｉｏ）を判定し、最も近くて最も品質のよい基地局（例えば、無線基地局（ＢＴＳ２）１２）を選択して捕捉する。
【００２０】
なお、移動機１００の画面上で電話番号のアイコン１０２により、発信方向Ａを指定する場合には、ユーザが保持する移動機１００の実際の向（地理上の方位）に係わらず、画面の上方向を北、下方向を南、左方向を西、右方向を東として発信方向を指定し、ＧＰＳにより取得した移動機１００の地理上の位置を基点として、ユーザが画面１０１上で指定した方向Ａに位置する無線基地局を選択することができる。また、所望の場合には、移動機１００内に電子コンパス（例えば、地磁気により地理上の方位を検出する機器）を内蔵させ、ユーザが保持する移動機１００の実際の向（地理上の方位）を検出し、この移動機１００の向（方位）に応じて、画面１０１上で指定される方向を実際の方位に合わせるようにしてもよい。
【００２１】
このように、本実施形態の移動機１００においては、画面操作による発信動作をユーザ主導で行い、無線基地局の方向（或いは場所）を意識した発信を行うことにより、移動機１００にとって最適な無線基地局をアサイン（捕捉）し、良質な通話或いはデータ通信を実現することができる。
【００２２】
なお、図１において、ＷｉＦｉ−ＡＰ１４は、ＷｉＦｉ（Ｗｉｒｅｌｅｓｓ  Ｆｉｄｅｌｉｔｙ）と呼ばれる無線ＬＡＮの標準規格である「ＩＥＥＥ８０２．１１ａ、ＩＥＥＥ８０２．１１ｂ、ＩＥＥＥ８０２．１１ｇ」等に準拠した通信方式により通信を行う際のアクセスポイント（ＡＰ）である。移動機１００が、近隣の基地局（例えば、基地局（ＢＴＳ２）１２、および基地局（ＢＴＳ３）１３）へ通信接続を行うことができない場合に、移動機１００は、発信先のターゲットをこのＷｉＦｉ−ＡＰ１４に変更して発信動作を行う。
【００２３】
また、図２は、本発明の実施の形態に係わる携帯移動機の機能ブロック図である。この図２に示す移動機１００は、通話、メール送受信、インターネット接続などを行う通信機能、測位機能（ＧＰＳ）等を備えた携帯電話装置の例である。
【００２４】
移動機１００は、図２に示すように制御部１１１、記憶部１１２、アンテナ１１３、無線通信部１１４、ＧＰＳ受信部１１５（位置検出部１１５ａを含む）、表示部１１６、操作部１１７、および発信時無線基地局選択部１２１を備えている。また、発信時無線基地局選択部１２１には、通信相手先指定画像表示部１２２と、ユーザ指定方向検出部１２３と、発信方向判定部１２４と、基地局スキャン部１２５と、基地局捕捉部１２６と、ＷｉＦｉ−ＡＰ接続部１２７と、が含まれる。
【００２５】
制御部１１１は、電話機能、メール機能、インターネット（ｗｅｂ）接続機能、測位機能、コンテンツ再生機能、その他の移動機１００の有する各機能や各部の制御を行う。記憶部１１２は、電話帳情報（アドレス帳）、送受信メール情報、発着呼情報、コンテンツ情報、アプリケーションプログラム情報、及び移動機１００の諸設定等を格納するとともに、制御部１１１の処理に必要な記憶領域を提供する。アンテナ１１３は、図示しない無線基地局（或いはＷｉＦｉ−ＡＰ）との間で電波の送受信を行うために用いられる。無線通信部１１４は、アンテナ１０３を介して無線基地局等との間で無線により情報の送受を行う。
【００２６】
ＧＰＳ受信部１１５は、図示しないＧＰＳ衛星から発射された電波を受信する、そして、位置検出部１１５ａは、ＧＰＳ衛星から発射された電波が移動機１００に到達するまでの時間を測定し、この時間差からＧＰＳ衛星と移動機１００との距離を求め、この距離を利用して地理上の位置座標（緯度経度情報）を求める処理を実行する。これにより、移動機１００が現在位置している場所の位置情報を取得する。
【００２７】
表示部１１６は、例えば、タッチパネル式の液晶表示装置であり、映像信号処理によって画像、図形、文字、記号などの情報の表示出力を行う。また、表示部１１６は、画面上に配置されたタッチパネルにより、ユーザによりタッチ（押下）された画面上の領域を検出する機能を備える。操作部１１７は、テンキー、スクロールキー、十字キー、決定キー等から構成され、移動機１００に対するユーザからの各種情報の入力を実行する。
【００２８】
なお、この移動機１００には、図示しない音声処理部や報知部やカメラ部が含まれ、所望の場合には、放送受信部も含まれる。この音声処理部は、マイクロフォンからの入力音声信号の処理および受話された音声信号、データ処理によって合成された音声信号のスピーカからの出力処理を行う。報知部は、楽音や報知音などの鳴音出力とバイブレータによる振動出力によって受信、受話時の表示、時報表示、アラーム表示などを行う。カメラ部は、撮影によって被写体を含む被写体周辺の画像情報を取得する。放送受信部は、地上局、衛星などの放送局から送信された放送信号をアンテナ１１３を介して受信し、受信した信号を復調して映像データ、音声データ、情報データ等の放送信号受信処理を行う。
【００２９】
そして、発信時無線基地局選択部１２１が、本実施形態の移動機１００の特徴をなす部分である。この発信時無線基地局選択部１２１において、通信相手先指定画像表示部１２２は、記憶部１１２に保存されたアドレス帳の中から通信相手先を指定するための通信相手先指定画像、例えば、電話番号リスト（或いはメールアドレスのリスト）の画像を画面上に表示する。なお、このリストを表示する場合に、通信相手先指定画像表示部１２２は、表示画面上に設けられたタッチパネルの機能（画面上においてタッチされた領域を識別する機能）を利用することにより、電話番号リストの中のから所望の電話番号をユーザが選択（タッチ＆ロックオン）できるように画像を表示する。また、通信相手先指定画像表示部１２２は、電話番号リストの中のから選択された電話番号を、画面上でタッチ＆ロックオンして、そのまま移動させることができるように、電話番号をアイコン化して画面上に表示する。
【００３０】
ユーザ指定方向検出部１２３は、通信相手先指定画像表示部１２２により表示された通信相手先指定画像において、例えば、電話番号のアイコンがユーザによりタッチ＆ロックオンされ、そのまま移動された場合に、この電話番号のアイコンが移動された方向をユーザ指定方向として検出する処理を行う。
発信方向判定部１２４は、ユーザ指定方向検出部１２３により検出されたユーザ指定方向と、内蔵するＧＰＳ（ＧＰＳ受信部１０５および位置検出部１１５ａ）により取得した自己の存在する地理上の位置情報とを基に、当該移動機１００からの電波の発信方向（より正確には、当該携帯移動機が発信を行う際に捕捉する無線基地局の方向）を判定する処理を行う。
【００３１】
基地局スキャン部１２５は、携帯移動機１００の近隣の各無線基地局から送信されるそれぞれの同期チャネルメッセージ（ＳｙｎｃＣｈａｎｎｅｌＭｅｓｓａｇｅ）をスキャン（受信）する処理を行う。
基地局捕捉部１２６は、基地局スキャン部１２５により受信した同期チャネルメッセージを基に各基地局の緯度経度情報を判定し、ユーザが指定した方向に位置する無線基地局を選択する処理を行う。また、基地局捕捉部１２６は、ユーザが指定した方向に位置する無線基局の中から、所定の基準に従い最適な無線基地局を選択して捕捉する処理を行う。例えば、基地局捕捉部１２６では、基地局スキャン部１２５により受信した各無線基地局の同期チャネルメッセージを基に、各基地局の電波品質（ＥＣ／Ｉｏ）を判定し、最も近くて最も通信品質のよい基地局を選択して捕捉する。
また、ＷｉＦｉ−ＡＰ接続部１２７は、データ発信時に近隣の無線基地局の選択（捕捉）に失敗したときに、発信先のターゲットをＷｉＦｉ−ＡＰ１４に変更して発信動作を行うための処理部である。
【００３２】
また、図３は、移動機１００における発信時の処理の流れを示すフローチャートである。図３（Ａ）は、音声通話の場合の発信時の処理の流れを示し、図３（Ｂ）は、データ通信の場合の発信時の処理の流れを示している。以下、図３に示すフローチャートを参照して、その処理の流れについて説明する。
【００３３】
図３（Ａ）に示す音声通話の場合の発信時の処理の流れを示すフローチャートにおいて、ＧＰＳ受信部１１５および位置検出部１１５ａは、まず移動機１００が存在している緯度経度情報をＧＰＳにより取得する（ステップＳ１１）。そして、通信相手先指定画像表示部１２２は、通信相手先を指定と共に、発信方向（発信時に捕捉する無線基地局の方向）を指定するための通信相手先指定画像を表示部１１６の画面上に表示する（ステップＳ１２）。例えば、通信相手先指定画像表示部１２２は、電話番号のリストを表示する。この電話番号リストを表示する場合に、通信相手先指定画像表示部１２２は、画面上で選択された電話番号を、画面上でタッチ＆ロックオンして、そのまま移動させることができるように電話番号をアイコン化して表示する。
【００３４】
そして、ユーザが表示画面上で電話番号リストから所定電話番号のアイコンをタッチ＆ロックオンし、そのままユーザが要望している方向に滑らせた（移動させた）場合に、ユーザ指定方向検出部１２３は、画面のプロット情報（例えば、タッチパネルによる画素位置の情報）によりユーザが指定した方向を判定する（ステップＳ１３）。
【００３５】
次に、移動機１００では、発信方向判定部１２４により、ユーザ指定方向検出部１２３により検出されたユーザ指定方向と、ＧＰＳ受信部１１５により取得した自己の存在する位置情報（緯度経度情報）とを基に発信方向（発信時に捕捉する無線基地局の方向）を判定する。これにより、移動機１００では、発信方向判定部１２４により、発信方向を確定する（ステップＳ１４）。
【００３６】
そして、移動機１００では、基地局スキャン部１２５により基地局スキャンを実施し、近隣の各基地局から同期チャネルメッセージを受信する（ステップＳ１５）。そして、基地局捕捉部１２６では、各基地局から受信した同期チャネルメッセージから緯度経度情報を判定し、これら緯度経度情報からユーザが指定した発信方向に位置する近隣の無線基地局を選択する。そして、基地局捕捉部１２６では、選択した各無線基地局から受信した同期チャネルメッセージを基に電波品質（ＥＣ／Ｉｏ）を判定し、ユーザが指定した方向に位置し、かつ最も近くて最も品質のよい基地局を最終的に確定する（ステップＳ１６）。そして、基地局捕捉部１２６では、この最終的に確定した無線基地局を選択して捕捉し、移動機１００は、基地局捕捉部１２６により捕捉した無線基地局へ向けて発信処理を実施し、通信を開始する（ステップＳ１７）。
【００３７】
次に、データ発信の場合について説明する。図３（Ｂ）は、データ通信の場合における発信時の処理の流れを示している。この図３（Ｂ）に示すフローチャートは、図３（Ａ）に示すフローチャートと比較して、ステップＳ１５ＡとステップＳ１５Ｂを追加した点だけが異なる。その他の処理については同様であり、このため同一の処理内容については同じ符号を付し、重複する説明は省略する。
【００３８】
図３（Ｂ）に示すフローチャートにおいて、ステップＳ１５において、移動機１００は、基地局スキャン部１２５により、各無線基地局のスキャンを実施する。
そして、基地局捕捉部１２６では、各無線基地局の同期チャネルメッセージから緯度経度情報を確認し、これら緯度経度情報から近隣の無線基地局（ユーザが指定した発信方向に位置する無線基地局）を選択する。そして、基地局捕捉部１２６では、選択した各無線基地局の中で、所定の電波品質（ＥＣ／Ｉｏ）を満たす無線基地局が選択可能か否かを判定する（ステップＳ１５Ａ）。そして、選択可能と判定された場合は（ステップＳ１５Ａ：Ｙｅｓ）、ユーザは指定した発信方向に位置し、かつ最も近くて最も電波品質のよい無線基地局を最終的に確定する（ステップＳ１６）。そして、基地局捕捉部１２６では、この最終的に確定した無線基地局を選択して捕捉し、移動機１００は、基地局捕捉部１２６により捕捉した無線基地局へ向けて発信処理を実施し、通信を開始する（ステップＳ１７）。
【００３９】
一方、ステップＳ１５Ａにおいて、所定の電波品質（ＥＣ／Ｉｏ）を満たす無線基地局を選択できないと判定された場合は（ステップＳ１５Ａ：Ｎｏ）。ステップＳ１５Ｂに移行し、ＷｉＦｉ−ＡＰを選択して通信接続し、移動機１００は発信ターゲットを無線基地局からＷｉＦｉ−ＡＰに変更して発信動作を行なう（ステップＳ１７）。なお、無線基局に対して通信接続できず、さらにＷｉＦｉ−ＡＰに対しても通信接続できない場合は、エラー処理としてその旨を画面にポップアップ表示する。
【００４０】
このように、図３（Ｂ）に示すフローチャートにおいては、移動機１００は、発信相手として無線基地局（例えば、ＣＤＭＡ／ＧＳＭ等の無線基地局）を最初に選択するが、該当無線基地局が存在しなかった場合は、発信ターゲットを無線基地局からＷｉＦｉ−ＡＰ１４に変更して発信動作を行なう。
【００４１】
以上、説明したように本発明の移動機１００においては、例えば、図１に示すように、移動機１００が位置２に存在するタイミングで発信を行なう際、移動機１００としては現在捕捉している基地局１１をターゲットに発信処理を行なうが、実際にはオーバーリーチ状態となっているため、接続率及び通話品質が低くなってしまうことがある。この場合、移動機１００のソフト処理により、他の無線基地局を再捕捉して最適な無線基地局にて接続を試みることになるが、ユーザ主導で無線基地局選択する本アルゴリズムを加えることで、無駄になる可能性のある初回発信処理を回避することが可能となる。
【００４２】
このように、本発明の移動機１００においては、発信処理を移動機ソフトの作りに依存することなく、ユーザ主導で無線基地局の選択が可能となるため、意図した通信を実現することが可能となる。このため、無線基地局の再捕捉する際にユーザ主導の無線基地局の選択処理を加えることにより、無駄になる可能性のある発信処理を回避することができる。
【００４３】
なお、ここで本発明と上記実施形態との対応関係について補足して説明する。上記実施形態において、本発明における携帯移動機は、移動機１００が対応する。また、本発明における位置検出部は、ＧＰＳ受信部１１５と位置検出部１１５ａが対応し、本発明における記憶部は、記憶部１１２が対応する。また、本発明における通信相手先指定画像表示部は、通信相手先指定画像表示部１２２が対応し、本発明における発信方向判定部は、発信方向判定部１２４が対応し、本発明における基地局スキャン部は、基地局スキャン部１２５が対応する。また、本発明における基地局捕捉部は、基地局捕捉部１２６が対応し、本発明におけるＷｉＦｉ−ＡＰ接続部は、ＷｉＦｉ−ＡＰ接続部１２７が対応する。
【００４４】
そして、上記実施形態において、携帯移動機１００は、無線基地局に対して発信を行う際に、無線基地局の方向を画面上で指定し、この画面上で指定された方向と、内蔵するＧＰＳ（Ｇｌｏｂａｌ  Ｐｏｓｔｉｏｎｉｎｇ  Ｓｙｓｔｅｍ）により取得した自己の存在する位置情報とを基に発信方向（発信時に捕捉する無線基地局の方向）を判定し、近隣に位置する各無線基地局から受信したそれぞれの同期信号を基に前記発信方向に位置する無線基地局を選択し、この発信方向に位置する無線基地局の中から所定の基準により発信先となる無線基地局を選択して捕捉する。
このような構成の移動機１００においては、無線基地局に対して発信を行う際に、ユーザが、通信相手先と無線基地局の方向とを指定する画像（例えば、電話番号のリスト）から所望の電話番号を選択（タッチ＆ロックオン）し、そのまま画面上で移動させることによりユーザが希望する無線基地局の方向を指定する。そして、携帯移動機１００では、このユーザにより指定された方向と、ＧＰＳにより取得した携帯移動機１００の位置情報とを基に発信方向（発信時に捕捉する無線基地局の方向）を判定する。携帯移動機１００では、近隣に位置する各無線基地局からそれぞれの同期信号を受信し、この受信した同期信号を基に、各基地局の緯度経度情報を判定するとともに各無線基地局の電波品質（ＥＣ／Ｉｏ）を判定し、ユーザにより指定された発信方向に位置し、かつ最も近くて最も品質のよい無線基地局を選択して捕捉する。
これにより、携帯移動機１００において画面操作による発信動作を行う際に、無線基地局の捕捉にユーザ主導の選択処理を加えることにより、移動機１００にとって最適な無線基地局を捕捉することができる。このため、携帯移動機１００において、良質な音声通話或いはデータ通信を実現することができる。
【００４５】
また、上記実施形態において、移動機１００は、当該携帯移動機１００の現在位置をＧＰＳにより検出する位置検出部（ＧＰＳ受信部１１５と位置検出部１１５ａ）と、通信相手先を指定すると共に、発信する無線基地局の方向を指定するための通信相手先指定画像（例えば、電話番号のアイコン）を表示部１１６の画面上に表示する通信相手先指定画像表示部１２２と、画面上に表示された通信相手先指定画像（例えば、電話番号のアイコン）がユーザによりタッチ＆ロックオンされそのまま移動された場合に、当該通信相手先指定画像が移動された方向をユーザ指定方向として検出するユーザ指定方向検出部１２３と、ユーザ指定方向検出部１２３により検出されたユーザ指定方向と、位置検出部（ＧＰＳ受信部１１５と位置検出部１１５ａ）により取得した自己の存在する位置情報（緯度経度情報）とを基に発信方向（発信時に捕捉する無線基地局の方向）を判定する発信方向判定部１２４と、近隣の各無線基地局のそれぞれから送信される同期信号を受信する基地局スキャン部１２５と、基地局スキャン部１２５により受信した同期信号を基に各基地局の緯度経度情報を判定し上記発信方向に位置する無線基地局を選択すると共に、この発信方向に位置する無線基地局の中から所定の基準に従い発信を行う無線基地局を選択して捕捉する基地局捕捉部１２６と、を備える。
このような構成の移動機１００では、位置検出部（ＧＰＳ受信部１１５と位置検出部１１５ａ）により移動機１００の現在位置を検出する。そして、画面上に表示された通信相手先に対応する通信相手先指定画像（例えば、電話番号のアイコン）を表示部１１６の画面上に表示し、この通信相手先指定画像（例えば、電話番号のアイコン）がユーザによりタッチ＆ロックされ移動された場合に、ユーザ指定方向検出部１２３では、このユーザにより移動された方向をユーザが指定した方向として検出する。そして、発信方向判定部１２４は、ユーザが指定した方向と、ＧＰＳにより取得した自己の存在する位置情報とを基に発信方向（発信時に捕捉する無線基地局の方向）を判定する。そして、基地局スキャン部１２５は、近隣の各無線基地局から送信されるそれぞれの同期信号を受信する。基地局捕捉部１２６は、基地局スキャン部１２５により受信した同期信号を基に、各基地局の緯度経度情報を判定するとともに各無線基地局の電波品質（ＥＣ／Ｉｏ）を判定し、ユーザにより指定された方向に位置し、かつ最も近くて最も品質のよい無線基地局を選択して捕捉する。
これにより、移動機１００の画面操作による発信動作をユーザ主導で行えるようにし、無線基地局の方向（或いは場所）を意識して発信を行うことにより、移動機１００にとって最適な無線基地局を捕捉し、良質な音声通話或いはデータ通信を実現することができる。
【００４６】
また、上記実施形態において、移動機１００は、データ発信時において無線基地局の捕捉に失敗したときに、発信先のターゲットをＷｉＦｉ−（Ｗｉｒｅｌｅｓｓ  Ｆｉｄｅｌｉｔｙ）のアクセスポイントに変更して発信動作を行う。
これにより、移動機１００では、データ発信時において無線基地局の捕捉に失敗したときに、発信先のターゲットをＷｉＦｉ−（Ｗｉｒｅｌｅｓｓ  Ｆｉｄｅｌｉｔｙ）のアクセスポイントに変更して発信動作を行うことができる。
【００４７】
以上、本発明の実施形態に係わる携帯移動機１００について説明したが、上述した図２に示す移動機１００内にはコンピュータシステムが搭載されており、移動機１００内の制御部１１１や、無線通信部１１４や、ＧＰＳ受信部１１５（位置検出部１１５ａを含む）や、発信時無線基地局選択部１２１や、通信相手先指定画像表示部１２２や、ユーザ指定方向検出部１２３や、発信方向判定部１２４や、基地局スキャン部１２５や、基地局捕捉部１２６や、ＷｉＦｉ−ＡＰ接続部１２７や、その他の回路について、ソフトウェアプログラムを実行することにより、その処理機能を実現することができるものについては、ソフトウェア処理により実現するようにしてもよい。勿論、ハードウェアにより構成するようにしてもよい。
【００４８】
以上、本発明の実施の形態について説明したが、本発明の携帯移動機は、上述の図示例にのみ限定されるものではなく、本発明の要旨を逸脱しない範囲内において種々変更を加え得ることは勿論である。
【符号の説明】
【００４９】
１１，１２，１３…基地局
１４…ＷｉＦｉ−ＡＰ
２１…遮蔽物（或いは障害物）
１００，１００Ａ…移動機
１０１…画面
１０２…電話番号のアイコン
１１１…制御部
１１２…記憶部
１１３…アンテナ
１１４…無線通信部
１１５…ＧＰＳ受信部
１１５ａ…位置検出部
１１６…表示部
１１７…操作部
１２１…発信時無線基地局選択部
１２２…通信相手先指定画像表示部
１２３…ユーザ指定方向検出部
１２４…発信方向判定部
１２５…基地局スキャン部
１２６…基地局捕捉部
１２７…ＷｉＦｉ−ＡＰ接続部
【図１】
2012244274.tif 000003
【図２】
2012244274.tif 000004
【図３】
2012244274.tif 000005
【図４】
2012244274.tif 000006